(57)【要約】【課題】ファッション目的で、爪を伸ばしたり、ネイルアートを楽しんでいる女性用に長い爪等を保護するゴルフ用グローブを提供する。【解決手段】各指の爪先部先端から爪表面部を覆い被せるように種々の形状の形状を有する保護カバーひさしや、保護カバーを設けることにより、長い爪や、爪の表面に施されたネイルアートをグローブ素材にて覆い保護する。【選択図】  図３
0003106552.tif 000002
【実用新案登録請求の範囲】
【請求項１】
グローブ装着時に各指先部並びに爪先部がグローブの指先袋部の底面につかえて窮屈にならない様にグローブ指先部の指当接位置を切欠して切欠孔を穿設し、該切欠孔より指先腹部を外部に露出する構成となし、しかも各指の爪先部はグローブ指先袋部で爪先部を覆い被せる様に爪先部と爪表面部を被覆、保護可能な保護カバー部ひさしを設けたことを特徴とする女性用ゴルフグローブ。
【請求項２】
前記爪先部と爪表面部を被覆、保護可能に構成した保護カバー部ひさしは、各指先部が指先袋部の底面につかえて窮屈にならない様に穿設した切欠孔の縁部に長く伸びた爪先部が係着し、グローブ素材を幾分伸張した状態で爪先部から爪表面部を被覆し保護していることを特徴とする請求項１記載の女性用ゴルフグローブ。
【請求項３】
前記グローブの全体の素材は天然皮革、人工皮革、合成皮革、編組織の人工スエードからなり、爪先部を係着して爪先部から爪表面部を被覆し保護している保護カバー部ひさしは前記素材を該部分で薄地で伸張性を有する素材に仕上げていることを特徴とする請求項１並びに請求項２記載の女性用ゴルフグローブ。
【請求項４】
グローブ装着時に各指の爪先部がグローブの指先袋部の底面につかえて窮屈にならない様にグローブ指先袋部の爪先部当接位置を切欠し、また各指先の先端部がグローブの指先袋部の底面につかえない様にグローブ指先部並びに指先の腹部が切欠されている構成を有したことを特徴とする女性用ゴルフグローブ。
【請求項５】
前記各指の爪先部先端から爪表面部を覆い被せるように保護カバーが設けられており、該保護カバーはグローブ全体の製作素材にて一体的に設けられている構成を有したことを特徴とする請求項４記載の女性用ゴルフグローブ。
【請求項６】
前記爪表面部の保護カバーはグローブ全体の素材より幾分固い素材で製作され、該保護カバーの形状は各指の長手方向に延びて爪表面に密着するアール形状を有してグローブ先端部に縫製または溶着や接着にて一体化していることを特徴とする請求項４並びに請求項５記載の女性用ゴルフグローブ。
【請求項７】
前記グローブの全体の素材は鹿革、羊革、牛革等の天然皮革からなり、前記保護カバーはグローブ全体を構成する天然皮革の素材より幾分固い天然皮革素材または他の素材にて製作され、該保護カバーの形状は各指の長手方向に延びて爪表面に密着するアール形状を有してグローブ先端部に縫製または溶着や接着にて一体化していることを特徴とする請求項４乃至請求項６記載の女性用ゴルフグローブ。
【請求項８】
前記グローブの全体の素材は人工皮革や合成皮革からなり、前記保護カバーはグローブ全体を構成する人工皮革や合成皮革の素材より幾分固い人工皮革や合成皮革の素材、または他の素材にて製作され、該保護カバーの形状は各指の長手方向に延びて爪表面に密着するアール形状を有してグローブ先端部に縫製または溶着や接着にて一体化していることを特徴とする請求項４乃至請求項６記載の女性用ゴルフグローブ。
【請求項９】
前記グローブの全体の素材は編組織の人工スエードからなり、前記保護カバーはグローブ全体を構成する人工スエードの素材より幾分固い素材または他の素材にて製作され、該保護カバーの形状は各指の長手方向に延びて爪表面に密着するアール形状を有してグローブ先端部に縫製または溶着や接着にて一体化していることを特徴とする請求項４乃至請求項６記載の女性用ゴルフグローブ。
【考案の詳細な説明】
【技術分野】
【０００１】
本考案は、女性用のゴルフグローブに関するものであり、特にファッション目的で、爪を伸ばしたり、ネイルアートを楽しんでいる女性用に開発された爪の保護カバー付きゴルフグローブに関するものである。
【背景技術】
【０００２】
ゴルフ用グローブは、スイングの際に、素手でグリップしたときよりもグローブを装着した方がより多くのトルクを生み出すことから、軽いグリップで最大のトルクを生み出すために使用されている。
【０００３】
而して、近時、女性ゴルファーも非常に多くなり、ファッション目的で爪を伸ばしていたり、爪の表面にネイルアートを楽しんでいる人も多い。
しかし、爪を伸ばしている女性ゴルファーが、従来から使用されてきた指先袋付きのゴルフグローブを着用すると、グローブの指先袋部に爪の先端部が当たり、フィット感に欠ける。また、プレイ中に爪が割れるなどのトラブルに見舞われることがある。
【０００４】
本考案は、上記トラブルに見舞われない構成を有し、そしてフィット感のある手袋を供するために、グローブ装着時に各指の爪先部がグローブの指先袋部の底面につかえて窮屈にならない様にグローブ指先部の指当接位置を切欠して切欠孔を穿設し、該切欠孔より指先腹部を外部に露出する構成とした。しかも各指の爪先部はグローブ指先袋部で爪先部を覆い被せる様に爪先部と爪表面部を被覆、保護可能な保護カバーひさしを設けたゴルフグローブを提供した。
尚、本考案で上述のように、「爪先部と爪表面部」を、と言う場合は、必ずしも「爪先部と爪表面部」の全てが、厳密な意味で完全に覆われている態様に限られず、「爪先部と爪表面部の一部」だけが覆われている態様を含むことは勿論である。
【０００５】
また、本考案は他の実施例として、グローブ装着時に各指の爪先部がグローブの指先袋部の底面につかえて窮屈にならない様にグローブ指先袋部の爪先部当接位置を切欠し、また各指先の先端部がグローブの指先袋部の底面につかえない様にグローブ指先部並びに指先の腹部が切欠されている構成を有し、各指の爪先部先端から爪表面部を覆い被せるように保護カバーを設けたゴルフグローブを提供した。
【０００６】
斯くして、本考案では、前記二つの実施例において、各指の爪先部先端から爪表面部を覆い被せるように形状の異なる保護カバー部のひさしや保護カバーを設けることにより、ファッション的に伸ばした爪や、爪の表面に施されたネイルアートを保護する女性用ゴルフグローブを、新規に提供するものである。
【０００７】
一方、従来技術として、スポーツや釣り、車の運転、各種作業等々に使用される指出し型の手袋は古くから知られており、特許文献１もその一例を示している。
【０００８】
特許文献１は、指出し型手袋であって、第二関節部位で手袋の指先部をカットした形状を有し、該手袋を装着すると、それぞれの指先が手袋から指出し状態になり指先は細かな作業ができる等の特徴を有しているが、該手袋は、指出し型であるが故に装着状態から脱ぐ時に摘むところがなく手早く容易に脱げないという欠点を解消するためのものである。
【０００９】
特許文献１は、上記欠点を解決するために、指出し型手袋本体の親指出し部縁に、指先でつまみ引くことの出来るヒレ状ツカミ部と親指を除く四本の指を容易に抜く為の幅広くつかみ引くことの出来る横長ヒレ状ツカミ部を設けることで、脱ぐ時の面倒を解消するものである。
【００１０】
従って、本考案のようにファッション目的で伸ばした爪や、爪の表面に施されたネイルアートを保護する女性用ゴルフグローブに関するものではない。
【００１１】
また、特許文献２は、特許文献１と同様に指袋の先端部を解放させた指出し型手袋で、該手袋を脱がす作業が面倒なことから、その解放した指袋先端部の外面適所、甲側、掌側に指袋引っ張り用のつまみ片を設け、装着した手袋を脱ぐ時に、該つまみ片を摘むことで指袋を引っ張ることができるようにしたものが記載されている。
【００１２】
然しながら、特許文献２は、グリップする手の掌側に摘み片が設けてあることで、ゴルフ用グローブには不向きである他、特許文献１と同様に、ファッション目的で伸ばした爪や、爪の表面に施されたネイルアートを保護する女性用ゴルフグローブに関するものではない。
【特許文献１】特開平９−４９１０９号公報
【特許文献２】特開２００１−１１５３１８号公報
【考案の開示】
【考案が解決しようとする課題】
【００１３】
而して、前記背景技術にあっては、指出し型手袋に関する手袋と、該手袋を装着状態から容易に脱ぎ取るための従来技術が開示されているが、本考案は、女性用のゴルフグローブに関するものであり、特にファッション目的で、爪を伸ばしたり、ネイルアートを楽しんでいる女性用に開発されたゴルフグローブに関するものである。
【００１４】
そして、本考案は、爪を伸ばしている女性ゴルファーが従来のゴルフグローブを着用すると、グローブの指袋先端部に爪が当たり、フィット感に欠けること、並びに、プレイ中に爪が割れるなどのトラブルに見舞われることを防止するためのゴルフグローブを提供するものである。
【課題を解決するための手段】
【００１５】
本考案は、グローブ装着時に各指先部並びに爪先部がグローブの指先袋部の底面につかえて窮屈にならない様にグローブ指先部の指当接位置を切欠して切欠孔を穿設し、該切欠孔より指先腹部を外部に露出する構成となし、しかも各指の爪先部はグローブ指先袋部で爪先部を覆い被せる様に爪先部と爪表面部を被覆、保護可能な保護カバー部ひさしを設けた女性用ゴルフグローブである。
【００１６】
本考案おいて、前記爪先部と爪表面部を被覆、保護可能に構成した保護カバー部ひさしは、各指先部が指先袋部の底面につかえて窮屈にならない様に穿設した切欠孔の縁部に長く伸びた爪先部が係着し、グローブ素材を幾分伸張した状態で爪先部から爪表面部を被覆し保護している女性用ゴルフグローブである。
【００１７】
本考案において、前記グローブの全体の素材は天然皮革、人工皮革、合成皮革、編組織の人工スエードからなり、爪先部を係着して爪先部から爪表面部を被覆し保護している保護カバー部ひさしは前記素材を該部分で薄地で伸張性を有する素材に仕上げている女性用ゴルフグローブである。
【００１８】
また、本考案の他の実施例を記載すれば、本考案は、グローブ装着時に各指の爪先部がグローブの指先袋部の底面につかえて窮屈にならない様にグローブ指先袋部の爪先部当接位置を切欠し、また各指先の先端部がグローブの指先袋部の底面につかえない様にグローブ指先部並びに指先の腹部が切欠されている構成を有した女性用ゴルフグローブである。
【００１９】
また、本考案は、前記各指の爪先部先端から爪表面部を覆い被せるように保護カバーが設けられており、該保護カバーはグローブ全体の製作素材にて一体的に設けられている構成を有した女性用ゴルフグローブである。
【００２０】
また、本考案において、前記爪表面部の保護カバーは、グローブ全体の素材より幾分固い素材で製作され、該保護カバーの形状は各指の長手方向に延びて爪表面に密着するアール形状を有してグローブ先端部に縫製または溶着や接着にて一体化している女性用ゴルフグローブである。
【００２１】
また、本考案において、グローブの全体の素材は鹿革、羊革、牛革等の天然皮革からなり、前記保護カバーはグローブ全体を構成する天然皮革の素材より幾分固い天然皮革素材または他の素材にて製作され、該保護カバーの形状は各指の長手方向に延びて爪表面に密着するアール形状を有してグローブ先端部に縫製または溶着や接着にて一体化している。
【００２２】
また、本考案において、グローブの全体の素材は、人工皮革や合成皮革からなり、前記保護カバーはグローブ全体を構成する人工皮革や合成皮革の素材より幾分固い人工皮革や合成皮革の素材、または他の素材にて製作され、該保護カバーの形状は各指の長手方向に延びて爪表面に密着するアール形状を有してグローブ先端部に縫製または溶着や接着にて一体化している。
【００２３】
更にまた、本考案において、グローブの全体の素材は、編組織の人工スエードからなり、前記保護カバーはグローブ全体を構成する人工スエードの素材より幾分固い素材または他の素材にて製作され、該保護カバーの形状は各指の長手方向に延びて爪表面に密着するアール形状を有してグローブ先端部に縫製または溶着や接着にて一体化している構成を採用しても良い。
【考案の効果】
【００２４】
斯くして、本考案は、爪を伸ばしている女性ゴルファーが、従来のゴルフグローブを着用すると、グローブの指袋先端部に爪が当たり、フィット感に欠けること、並びに、プレイ中に爪が割れるなどのトラブルに見舞われることを防止するために、グローブ指先部の指当接位置を切欠して切欠孔を穿設し、該切欠孔より指先腹部を外部に露出する構成となし、しかも、各指の爪先部はグローブ指先袋部で爪先部を覆い被せる様に爪先部と爪表面部を被覆、保護可能な保護カバー部ひさしを設けたゴルフグローブを提供できた。
【００２５】
また、他の実施例としてグローブ指先袋部の爪先部当接位置を切欠し、またグローブ指先部、並びに指先の腹部が切欠されている構成とし、各指の爪先部先端から爪表面部を覆い被せるように保護カバーを設けたゴルフグローブを提供できた。
【００２６】
斯くして、本考案では、前記二つの実施例において、各指の爪先部先端から爪表面部を覆い被せるように形状の異なる保護カバーひさしや保護カバーを設けることにより、ファッション的に伸ばした爪や、爪の表面に施されたネイルアートを保護する女性用ゴルフグローブを新規に提供することができた。
【００２７】
そして、本考案のゴルフグローブは、爪を伸ばしている女性ゴルファーが、着用しても、グローブの指袋先端部に爪が当たり、フィット感に欠けること、並びに、プレイ中に爪が割れるなどのトラブルに見舞われることを防止して、快適なプレイを楽しめるゴルフグローブであり、該グローブは各指先の先端部に設けられた保護カバーひさしや、保護カバー先端部を摘んで容易に脱ぎやすいゴルフグローブを提供することができ、特許文献１並びに２における問題点も払拭することができた。
【考案を実施するための最良の形態】
【００２８】
本考案は、グローブ装着時に各指先部並びに爪先部がグローブの指先袋部の底面につかえて窮屈にならない様にグローブ指先部の指当接位置を切欠して切欠孔を穿設し、該切欠孔より指先腹部を外部に露出する構成となし、しかも各指の爪先部はグローブ先袋部で爪先部を覆い被せる様に爪先部と爪表面部を被覆、保護可能な保護カバー部ひさしを設けた構成が好ましい。
【００２９】
即ち、本考案にあっては、女性ゴルファーで、ファッション目的で爪を伸ばしていたり、爪の表面にネイルアートを楽しんでいる人用のゴルフグローブであり、爪を伸ばしている女性ゴルファーが従来の指先袋付きのゴルフグローブを着用すると、グローブの指先袋部に爪の先端部が当たり、フィット感に欠ける。また、プレイ中に爪が割れるなどのトラブルに見舞われることがある点に鑑みてなされたものである。
【００３０】
また、本考案において、前記爪先部と爪表面部を被覆、保護可能に構成した保護カバー部ひさしは、各指先部が指先袋部の底面につかえて窮屈にならない様に穿設した切欠孔の縁部に長く伸びた爪先部が係着し、グローブ素材を幾分伸張した状態で爪先部から爪表面部を被覆し保護していることが好ましい。
【００３１】
即ち、本考案にあっては、従来の指先袋付きのゴルフグローブを着用すると、グローブの指先袋部に爪の先端部が当たり、フィット感に欠けたり、また、プレイ中に爪が割れるなどのトラブルに見舞われる等の欠点を解消するのみならず、爪の保護カバーひさしを設けることにより、積極的に長い爪や、ネイルアートを施した爪表面を保護するものである。
【００３２】
また本発明においては、前記グローブの全体の素材は天然皮革、人工皮革、合成皮革、編組織の人工スエードからなり、爪先部を係着して爪先部から爪表面部を被覆し保護している保護カバー部ひさしは、前記素材を該部分で薄地で伸張性を有する素材に仕上げていることが好ましい。
【００３３】
即ち、ゴルフ用グローブは伸び率の多い素材は最悪であるが、爪の保護カバーひさし部分は柔らかく伸縮性の良いものが長い爪を圧迫しないので、天然皮革の場合には該爪の保護カバーひさし部分は皮を薄くなめしたりすることで、要求は達成でき、また、他の素材で製作する場合には、該爪の保護カバーひさし部分のみ他の素材に変換することで目的は達成可能である。
【００３４】
また、本考案の他の実施例では、グローブ装着時に各指の爪先部がグローブの指先袋部の底面につかえて窮屈にならない様にグローブ指先袋部の爪先部当接位置を切欠し、また各指先の先端部がグローブの指先袋部の底面につかえない様にグローブ指先部並びに指先の腹部が切欠されている構成が好ましい。
【００３５】
また、本考案の実施例では、前記各指の爪先部先端から爪表面部を覆い被せるように保護カバーが設けられており、該保護カバーはグローブ全体の製作素材にて一体的に設けられている構成を有していることが好ましい。
【００３６】
また、本考案においては、前記爪表面部の保護カバーはグローブ全体の素材より幾分固い素材で製作され、該保護カバーの形状は各指の長手方向に延びて爪表面に密着するアール形状を有してグローブ先端部に縫製または溶着や接着にて一体化していることが好ましい。
【００３７】
更にまた、本考案において、前記グローブの全体の素材は、鹿革、羊革、牛革等の天然皮革からなり、前記保護カバーはグローブ全体を構成する天然皮革の素材より幾分固い天然皮革素材または他の素材にて製作され、該保護カバーの形状は各指の長手方向に延びて爪表面に密着するアール形状を有してグローブ先端部に縫製または溶着や接着にて一体化していることが好ましい。
【００３８】
また、本考案において、前記グローブの全体の素材は、人工皮革や合成皮革からなり、前記保護カバーはグローブ全体を構成する人工皮革や合成皮革の素材より幾分固い人工皮革や合成皮革の素材、または他の素材にて製作され、該保護カバーの形状は各指の長手方向に延びて爪表面に密着するアール形状を有してグローブ先端部に縫製または溶着や接着にて一体化していることが好ましい。
【００３９】
また、本考案において、前記グローブの全体の素材は編組織の人工スエードからなり、前記保護カバーはグローブ全体を構成する人工スエードの素材より幾分固い素材または他の素材にて製作され、該保護カバーの形状は各指の長手方向に延びて爪表面に密着するアール形状を有してグローブ先端部に縫製または溶着や接着にて一体化していることが好ましい。
【実施例１】
【００４０】
図１乃至図７は、本考案の実施例１を示す説明図であり、図１は、本考案のグローブを手の掌側より表示した説明図、図２は図１を手の甲側より表示した説明図、図３は図１並びに図２において説明した本考案のグローブを手に装着した状態を示す説明図、図４はグローブを装着した状態を示す側面図である。
【００４１】
また、図５乃至図７は各指先と爪保護カバーひさしとの関係を説明する部分拡大説明図であり、一例として人差し指を示しているが、本考案にあっては、各指先とも構成要素は同一である。図５は爪先部に保護カバーひさしが係着している状態を示し、図６は図５の部分断面説明図、図７は保護カバーひさしを伸張して爪先部より保護カバーひさしを抜脱した状態を示す説明図である。
【００４２】
本考案を示す図１乃至図７において、１はゴルフ用グローブ本体、２はゴルフ用グローブ１の手の掌側、３は甲側を示している。
ゴルフ用グローブ本体１は、鹿皮、羊皮、牛皮等の天然皮革、人工皮革、合成皮革、編組織の人工スエード等の素材にて製作されている。
【００４３】
而して、図１並びに図２はグローブ本体１の形状を示しており、グローブ本体１の各指先部の内、４aは親指指先部、４ｂは人差し指指先部、４ｃは中指指先部、４ｄは薬指指先部、４eは小指指先部を図示し、また、それぞれの爪先部は、５aが親指爪先部、５ｂが人差し指爪先部、５ｃが中指爪先部、５ｄが薬指爪先部、５eが小指爪先部をそれぞれ示している。
【００４４】
また、図３並びに図４はグローブ１を手に装着した状態を示しており、グローブ本体１の各指先袋部６a、６ｂ、６ｃ、６ｄ、６eの底面７（図６に示す）には、それぞれグローブ本体１の指先部４a、４ｂ、４ｃ・・・の指当接位置を切欠して図１の如く切欠孔８a、８ｂ、８ｃ、８ｄ、8eが穿設されており、該切欠孔８a、８ｂ、８ｃ、８ｄ、８eより各指先部４の腹部９a、９ｂ、９ｃ、９ｄ、９eを外部に露出する構成を有している。
【００４５】
そして、各指の爪先部５a、５ｂ、５ｃ、５ｄ、５eには、グローブ指先袋部６a、６ｂ、６ｃ、６ｄ、６eで該爪先部５a、５ｂ、５ｃ、・・・を覆い被せる様に各爪先部５a、５ｂ、５ｃ・・・と爪表面部１０a、１０ｂ、１０ｃ、１０ｄ、１０eを被覆、保護可能な保護カバー部ひさし１１a、１１ｂ、１１ｃ、１１ｄ、11eを設けている。
【００４６】
即ち、前記爪先部５a、５ｂ、５ｃ・・・と爪表面部１０a、１０ｂ、１０ｃ・・・を被覆、保護可能に構成した保護カバー部ひさし１１a、１１ｂ、１１ｃ・・・は、各指先部４a、４ｂ、４ｃ・・・が指先袋部６a、６ｂ、６ｃ・・・の底面７につかえて窮屈にならない様に穿設した切欠孔８a、８ｂ、８ｃ・・・のそれぞれの縁部１２a、１２ｂ、１２ｃ・・・に長く伸びた爪先部５a、５ｂ、５ｃ、５ｄ、５eがそれぞれが係着し、グローブ本体１の素材を幾分伸張した状態で爪先部５a、５ｂ、５ｃ、５ｄ、５eから爪表面部１０a、１０ｂ、１０ｃ、１０ｄ、１０eを被覆して保護している。
【００４７】
図５乃至図７は、上記構成と形状を人差し指爪先部５ｂを例に拡大して説明している。図５乃至図７において、４ｂは人差し指指先部、５ｂは爪先部、６ｂはグローブ指先袋部、７は指先袋部の底面、８ｂは切欠孔、９ｂは指先部の腹部、１０ｂは爪表面部、１１ｂは保護カバー部ひさしを示している。
【００４８】
而して、図５並びに図６において、グローブ１を装着したときに長い爪の爪先部５ｂ、並びに爪表面部１０ｂは、グローブ指先袋部６ｂに係着され、爪先部５ｂに固着された保護カバーひさし１１ｂにより保護されている。また爪先部５ｂの保護カバー部ひさし１１ｂへの係着は、グローブの指先部４ｂに切欠孔８ｂが穿設されているために前記指先部４ｂの素材が伸びやすくなっており、柔らかな係着を実現できる。
【００４９】
図７は、保護カバーひさし１１ｂを、爪先部５ｂの先端からはずした状態を示すもので、該状態にて、グローブ指先袋部６ｂを引っ張ることて、グローブの抜脱はスマートに、そして容易に行える。
【００５０】
斯くして、前記グローブ１の全体の素材は天然皮革、人工皮革、合成皮革、編組織の人工スエード等を任意に選択して製作でき、爪先部５a、５ｂ、５ｃ・・・を係着して該爪先部から爪表面部１０a、１０ｂ、１０ｃ・・・を被覆し保護している保護カバー部ひさし１１a、１１ｂ、１１ｃ・・・は、前記種々の素材を該部分で薄地で伸張性を有する素材に仕上げていることでよりフィツト感のある女性用ゴルフグローブを提供することができた。
【実施例２】
【００５１】
図８乃至図４は、本考案の実施例２を示す説明図であり、図８は、本考案のグローブを手の掌側より表示した説明図、図９は図８を手の甲側より表示した説明図、図１０は図８並びに図９において説明した本考案のグローブを手に装着した状態を示す説明図、図１１はグローブを装着した状態を示す側面図を示している。
【００５２】
実施例２において、前記実施例１と同一符号は、同一構成要素を示しており、図８乃至図１４において、１はゴルフ用グローブ本体、２はゴルフ用グローブ１の手の掌側、３は甲側を示している。
【００５３】
本考案のゴルフ用グローブ本体１は、鹿皮、羊皮、牛皮等の天然皮革、人工皮革、合成皮革、編組織の人工スエード等の素材にて製作されている。図８並びに図９はグローブ本体１の全体形状を示しており、グローブ本体１の各指先部の内、４aは親指指先部、４ｂは人差し指指先部、４ｃは中指指先部、４ｄは薬指指先部、４eは小指指先部を示している。また、それぞれの爪先部は、５aが親指爪先部、５ｂが人差し指爪先部、５ｃが中指爪先部、５ｄが薬指爪先部、５eが小指爪先部を図示している。
【００５４】
また、図１０並びに図１１はグローブ１を手に装着した状態を示しており、グローブ本体１の各爪先部５a、５ｂ、５ｃ、５ｄ、５eには、それぞれグローブ本体１の指先部４a、４ｂ、４ｃ・・・の指当接位置を切欠して図８の如く切欠孔１４a、１４ｂ、１４ｃ、１４ｄ、１４eが設けられており、該切欠孔１４a、１４ｂ、１４ｃ、１４ｄ、１４eより各指先部４の腹部９a、９ｂ、９ｃ、９ｄ、９eと、爪先部５a、５ｂ、５ｃ、５ｄ、５eを外部に露出する構成を有している。
【００５５】
そして各指の爪先部５a、５ｂ、５ｃ、５ｄ、５eには、裏面に該爪先部５a、５ｂ、５ｃ、・・・を覆い被せる様に保護カバー１３a、１３ｂ、１３ｃ、１３ｄ、1３eを設けている。
【００５６】
即ち、実施例２においては、グローブ１装着時に各指の爪先部４a、４ｂ、４ｃ、４ｄ、４eがグローブの指先袋部の底面につかえて窮屈にならない様にグローブ指先袋部の爪先部当接位置を切欠し、また各指先部４a、４ｂ、４ｃ・・・の先端部がグローブの指先袋部の底面につかえない様にグローブ指先部並びに指先の腹部が切欠され切欠部１４a、１４ｂ、１４ｃ、１４ｄ、１４eを構成した構成を有した。
【００５７】
また、実施例２の前記各指の爪先部４a、４ｂ、４ｃ、４ｄ、４e先端から爪表面部１０a、１０ｂ、１０ｃ、１０ｄ、１０eを覆い被せるように保護カバー１３a、１３ｂ、１３ｃ、１３ｄ、１３eが設けられており、該保護カバー１３a、１３ｂ、１３ｃ・・・はグローブ１全体の製作素材にて一体的に設けられている構成とした。
【００５８】
更にまた、前記爪表面部１０a、１０ｂ、１０ｃ、１０ｄ、１０eの保護カバー１３a、１３ｂ、１３ｃ、１３ｄ、１３eはグローブ１全体の素材より幾分固い素材で製作され、該保護カバー１３a、１３ｂ、１３ｃ、１３ｄ、１３eの形状は各指の長手方向に延びて爪表面部１０a、１０ｂ、１０ｃ、１０ｄ、１０eに密着するアール形状を有してグローブ先端部に縫製または溶着や接着にて一体化しているものである。
【００５９】
図１２乃至図１４は、上記構成と形状を人差し指爪先部５ｂを例に拡大して説明している。図１２乃至図１４において、４ｂは人差し指指先部、５ｂは爪先部、１４ｂは切欠部、９ｂは指先部の腹部、１０ｂは爪表面部、１３ｂは保護カバーを示している。
【００６０】
而して、図１２並びに図１４はグローブを装着したときに長い爪の爪先部５ｂ、並びに爪表面部１０ｂは、切欠部１４ｂから外部に露出しており、該爪先部５ｂ、並びに爪表面部１０ｂの表面に密着して保護カバー１３ｂが配置されており、前記爪先部５ｂ、並びに爪表面部１０ｂは保護カバー１３ｂにより保護されている。
【００６１】
図１４は、保護カバー１３ｂを爪先部５ｂより剥離する如くはずした状態を示すもので、該状態にて、グローブ指先袋部６ｂを引っ張ることて、グローブの抜脱はスマートで容易に行える。
【００６２】
斯くして、本考案は前記グローブ１の全体の素材は鹿革、羊革、牛革等の天然皮革からなり、前記保護カバー１３a、１３ｂ、１３ｃ・・・はグローブ１全体を構成する天然皮革の素材より幾分固い天然皮革素材または他の素材にて製作され、該保護カバー１３a、１３ｂ、１３ｃ・・・の形状は各指の長手方向に延びて爪表面部１０a、１０ｂ、１０ｃ、１０ｄ、１０eに密着するアール形状を有してグローブ先端部に縫製または溶着や接着にて一体化している女性用ゴルフグローブを提供した。
【００６３】
また本考案は、前記グローブ１の全体の素材は人工皮革や合成皮革からなり、前記保護カバー１３a、１３ｂ、１３ｃ・・・はグローブ１全体を構成する人工皮革や合成皮革の素材より幾分固い人工皮革や合成皮革の素材、または他の素材にて製作され、該保護カバー１３a、１３ｂ、１３ｃ・・・の形状は各指の長手方向に延びて爪表面に密着するアール形状を有してグローブ先端部に縫製または溶着や接着にて一体化している女性用ゴルフグローブを提供した。
【００６４】
更にまた、前記グローブ１の全体の素材は編組織の人工スエードからなり、前記保護カバー１３a、１３ｂ、１３ｃ・・・はグローブ１全体を構成する人工スエードの素材より幾分固い素材または他の素材にて製作され、該保護カバー１３a、１３ｂ、１３ｃ・・・の形状は各指の長手方向に延びて爪表面に密着するアール形状を有してグローブ先端部に縫製または溶着や接着にて一体化している女性用ゴルフグローブを提供した。
【産業上の利用可能性】
【００６５】
斯くして、本考案は、前記二つの実施例に見られるように、各指の爪先部先端から爪表面部を覆い被せるように形状の異なる保護カバーひさしや、保護カバーを設けることにより、ファッション的に伸ばした爪や、爪の表面に施されたネイルアートを覆い保護する女性用ゴルフグローブを新規に提供することができ、ゴルフ用グローブの新しい分野を開拓できるもので、その産業上の利用価値は顕著なものがある。
【図面の簡単な説明】
【００６６】
【図１】本考案の実施例１を手の掌側より示す説明図である。
【図２】図１を手の甲側より示す説明図である。
【図３】図１並びに図２で説明した本考案のグローブを手に装着した状態を示す説明        図である。
【図４】本考案のグローブを装着した状態を示す側面図である。
【図５】爪先部に保護カバーひさしが係着している状態を示す説明図である。
【図６】図５の部分断面説明図である。
【図７】爪先部より保護カバーひさしを抜脱した状態を示す説明図である。
【図８】本考案の実施例２を手の掌側より示す説明図である。
【図９】図８を手の甲側より示す説明図である。
【図１０】図８並びに図９で説明した本考案のグローブを手に装着した状態を示す説        明図である。
【図１１】本考案のグローブを装着した状態を示す側面図である。
【図１２】爪先部に保護カバーが密着している状態を示す説明図である。
【図１３】図１２の部分断面説明図である。
【図１４】爪先部より保護カバーを剥離した状態を示す説明図である。
【符号の説明】
【００６７】
１  ゴルフ用グローブ本体    
２  手の掌側  
３  甲側  
４a、４ｂ、４ｃ、４ｄ、４e  指先部
５a、５ｂ、５ｃ、５ｄ、５e  爪先部
６a、６ｂ、６ｃ、６ｄ、６e  指先袋部
７  底面
８a、８ｂ、８ｃ、８ｄ、８e  切欠孔
９a、９ｂ、９ｃ。９ｄ、９e  指先の腹部
１０a、１０ｂ、１０ｃ、１０ｄ、１０e  爪表面部
１１a、１１ｂ、１１ｃ、１１ｄ、１１e  保護カバー部ひさし（実施例１）
１２a、１２ｂ、１２ｃ、１２ｄ、１２e  縁部
１３a、１３ｂ、１３ｃ、１３ｄ、１３e  保護カバー（実施例２）
１４a、１４ｂ、１４ｃ、１４ｄ、１４e  切欠部
【図１】
0003106552.tif 000003
【図２】
0003106552.tif 000004
【図３】
0003106552.tif 000005
【図４】
0003106552.tif 000006
【図５】
0003106552.tif 000007
【図６】
0003106552.tif 000008
【図７】
0003106552.tif 000009
【図８】
0003106552.tif 000010
【図９】
0003106552.tif 000011
【図１０】
0003106552.tif 000012
【図１１】
0003106552.tif 000013
【図１２】
0003106552.tif 000014
【図１３】
0003106552.tif 000015
【図１４】
0003106552.tif 000016